(57)【要約】【課題】メインシステム及びサブシステムを備える情報処理装置において、メインシステム及びサブシステム間の接続に係るコストや工数を低減可能であり、省電力を実現可能な情報処理技術を提供する。【解決手段】サブシステム１１は、省電力モードから通常動作モードへの復帰要因を検出して、ＵＳＢケーブル１３のＶＢＵＳ電源線１４を介して復帰信号を出力する復帰要因検出部５１を有する。メインシステム１０は、復帰信号を検出する割り込み検出部２１と、通常動作モード又は省電力モードに応じて、ＶＢＵＳ電源線１４の接続先を、電源ユニット１２に接続される電源供給線２７又は割り込み検出部２１に接続される復帰信号検出線２６に切り替える信号切替部２５とを有する。【選択図】図１
2011129061.tif 000002
【特許請求の範囲】
【請求項１】
情報処理装置全体を制御するメインシステムと、電源線を介して前記メインシステムと接続され前記メインシステムと通信して各種機能を実現させるサブシステムとを備える情報処理装置であって、
前記メインシステムと前記サブシステムとに対して電源手段から所定の電位の電力を供給する通常動作モードと、前記電源手段から前記サブシステムへの電力の供給を停止する省電力モードとの２つの電力モードがあり、
前記サブシステムは、前記省電力モードから前記通常動作モードへ復帰する復帰要因を検出して、前記省電力モードから前記通常動作モードへの復帰を示す復帰信号を、前記電源線を介して出力する復帰要因検出手段を有し、
前記メインシステムは、
前記電源線を介して前記復帰信号を検出する検出手段と、
所定の条件に応じて、前記省電力モードに当該情報処理装置を移行させる又は前記復帰要因が検出された場合、前記通常動作モードに当該情報処理装置を復帰させるモード移行手段と、
前記モード移行手段が移行又は復帰させる前記電力モードに応じて、前記電源線の接続先を前記電源手段又は前記検出手段に切り替える信号切替手段とを有する
ことを特徴とする情報処理装置。
【請求項２】
前記信号切替手段は、前記モード移行手段が当該情報処理装置を前記通常動作モードから前記省電力モードに移行させる場合、前記電源線を前記電源手段に接続させ、前記モード移行手段が当該情報処理装置を前記省電力モードから前記通常動作モードに復帰させる場合、前記電源線を前記検出手段に接続させる
ことを特徴とする請求項１に記載の情報処理装置。
【請求項３】
前記復帰要因検出手段は、ユーザによる押下を検出するタクトキー及びタッチパネルのうち少なくとも１つにより構成され、ユーザによる押下を検出した場合、前記復帰信号を、前期電源線を介して出力する
ことを特徴とする請求項１又は２に記載の情報処理装置。
【請求項４】
前記電源線は、ＵＳＢ（Universal Serial Bus）ケーブル、ＩＥＥＥ１３９４ケーブル又はＳＤカードＩ／Ｆ（Interface）に含まれるものであり、
前記メインシステム及び前記サブシステムは、ＵＥＢケーブルＩＥＥＥ１３９４ケーブル及びＳＤカードＩ／Ｆのうち少なくとも１つにより接続される
ことを特徴とする請求項１乃至３のいずれか一項に記載の情報処理装置。
【請求項５】
前記信号切替手段は、前記モード移行手段が当該情報処理装置を前記通常動作モードから前記省電力モードに移行させる場合、前記電源線を前記電源手段に接続される電源供給線に接続させ、前記モード移行手段が当該情報処理装置を前記省電力モードから前記通常動作モードに復帰させる場合、前記電源線を前記検出手段に接続される信号線に接続させる
ことを特徴とする請求項１乃至４のいずれか一項に記載の情報処理装置。
【請求項６】
前記メインシステムは、前記モード移行手段が当該情報処理装置を前記通常動作モードから前記省電力モードに移行させる場合、前記サブシステムに対する電力の供給を停止させるための電源制御信号を前記電源手段に出力し、前記モード移行手段が当該情報処理装置を前記省電力モードから前記通常動作モードに復帰させる場合、前記サブシステムに対して所定の電力を供給させるための電源制御信号を前記電源手段に出力する
ことを特徴とする請求項１乃至５のいずれか一項に記載の情報処理装置。
【発明の詳細な説明】
【技術分野】
【０００１】
本発明は、情報処理装置に関するものである。
【背景技術】
【０００２】
従来より、装置全体を制御するメインシステムと、メインシステムに接続されメインシステムと通信して各種機能を実現させる少なくとも１つ以上のサブシステムとを備える情報処理装置がある。メインシステムとサブシステムとの通信は、例えば、ＵＳＢ（Universal Serial Bus）やＩＥＥＥ１３９４などのインターフェイスを介して行われる。これらのインターフェイスでは、データを送受信するためのデータ線の他に、電力を供給するための電源線を有しているので、メインシステムを介してサブシステムへ電力を供給することが可能である。このようなインターフェイスで用いられる標準的な接続端子を使いながらも高い電圧で高速充電することを可能にすることは既に知られている。例えば、特許文献１には、外部装置に有線で接続するためのＵＳＢソケットとバッテリとを備えた情報処理装置において、サブシステム及びメインシステム間をＵＳＢなどの単一のケーブルでもバッテリの充電のタイミングを制御することを目的として、ＵＳＢソケットが外部装置から給電を受ける給電端子に印加されている電圧の大きさが所定値よりも大きいとき、給電端子によって受け取った電力をバッテリに送って充電を行い、給電端子に印加されている電圧の大きさが所定値以下であるとき、給電端子によって受け取った電力を情報処理装置の内部回路に給電する技術が開示されている。
【発明の概要】
【発明が解決しようとする課題】
【０００３】
ところで、メインシステム及びサブシステムを備える情報処理装置において、所定の電力を供給する通常動作モードと、省電力を実現するために通常動作モードよりも低位の電圧の電力を供給する省電力モードとが設定されるものがある。このような情報処理装置では、メインシステムからサブシステムに省電力モード時においても供給する電力と、省電力モード時にはメインシステムからサブシステムへの供給が遮断される電力と、メインシステム及びサブシステム間で通常動作モードから省電力モードへの移行、又は省電力モードから通常動作モードへの復帰を行うために通信する信号とがある。この信号を通信するために信号線が必要であると考えられる。ところが、メインシステム及びサブシステム間の接続が、ＵＳＢなどの一般的な規格に準拠したＵＳＢケーブルによる場合、電源線が１本しか設けられていない。
【０００４】
例えば、特許文献１の情報処理装置において、通常動作モードに対して省電力モードを設定可能にした場合、電源系統を２つ以上にし、上述の信号を併用するために、電源線と、信号を通信するための信号線とをＵＳＢケーブル以外にバラ線として追加する必要があると考えられる。このためＵＳＢケーブルの系統数の増加によるコストの上昇やバラ線を情報処理装置に組み込む際の工数が掛かるなどの問題が生じる恐れがあった。また、特許文献１の情報処理装置では、給電端子に印加されている電圧の大きさが所定値より高い場合にバッテリに充電を行うが、サブシステムにおける省電力モードを制御するために電圧を通常時よりも上昇させることになる。これでは、省電力モードにおいて省電力を実現できない恐れがある。
【０００５】
本発明は、上記に鑑みてなされたものであって、メインシステム及びサブシステムを備える情報処理装置において、メインシステム及びサブシステム間の接続に係るコストや工数を低減可能であり、省電力を実現可能な情報処理装置を提供することを目的とする。
【課題を解決するための手段】
【０００６】
上述した課題を解決し、目的を達成するために、本発明は、情報処理装置全体を制御するメインシステムと、電源線を介して前記メインシステムと接続され前記メインシステムと通信して各種機能を実現させるサブシステムとを備える情報処理装置であって、前記メインシステムと前記サブシステムとに対して電源手段から所定の電位の電力を供給する通常動作モードと、前記電源手段から前記サブシステムへの電力の供給を停止する省電力モードとの２つの電力モードがあり、前記サブシステムは、前記省電力モードから前記通常動作モードへ復帰する復帰要因を検出して、前記省電力モードから前記通常動作モードへの復帰を示す復帰信号を、前記電源線を介して出力する復帰要因検出手段を有し、前記メインシステムは、前記電源線を介して前記復帰信号を検出する検出手段と、所定の条件に応じて、前記省電力モードに当該情報処理装置を移行させる又は前記復帰要因が検出された場合、前記通常動作モードに当該情報処理装置を復帰させるモード移行手段と、前記モード移行手段が移行又は復帰させる前記電力モードに応じて、前記電源線の接続先を前記電源手段又は前記検出手段に切り替える信号切替手段とを有することを特徴とする。
【発明の効果】
【０００７】
本発明によれば、メインシステム及びサブシステムを備える情報処理装置において、メインシステム及びサブシステム間の接続に係るコストや工数を低減可能であり、省電力を実現可能になる。
【図面の簡単な説明】
【０００８】
【図１】図１は、一実施の形態にかかる情報処理装置のハードウェア構成を例示する図である。
【図２】図２は、情報処理装置において通常動作モードが設定されている場合の信号のパスを太線で示した図である。
【図３】図３は、情報処理装置において省電力モードに移行した場合の信号のパスを太線で示した図である。
【図４】図４は、省電力移行処理の手順を示すフローチャートである。
【図５】図５は、省電力移行処理における電源制御線２８、電源供給線２７、ＶＢＵＳ電源線１４及び復帰信号検出線２６の各電圧の電位を例示する図である。
【図６】図６は、通常復帰処理の手順を示すフローチャートである。
【図７】図７は、通常復帰処理における電源制御線２８、電源供給線２７、ＶＢＵＳ電源線１４及び復帰信号検出線２６の各電圧の電位を例示する図である。
【図８】図８は、一変形例に係る情報処理装置の構成を例示する図である。
【図９】図９は、一変形例に係る情報処理装置の構成を例示する図である。
【発明を実施するための形態】
【０００９】
以下に添付図面を参照して、この発明にかかる情報処理装置の一実施の形態を詳細に説明する。
【００１０】
図１は、本実施の形態にかかる情報処理装置のハードウェア構成を例示する図である。本実施の形態の情報処理装置は、複数のユニットの組み合わせにより構成されており、各ユニットとして、メインシステム１０と、サブシステム１１と、電源ユニット１２とから構成される。メインシステム１０とサブシステム１１とはＵＳＢケーブル１３を介して接続される。ＵＳＢケーブル１３は、ＶＢＵＳ電源線１４と、信号線１５とを有する。メインシステム１０は、電源制御線２８と電源供給線２７との各々を介して電源ユニット１２に接続される。サブシステム１１は、メインシステム１０を介して電源ユニット１２に悦属される。メインシステム１０は、情報処理装置全体を制御する。サブシステム１１は、ユーザが操作入力を行なうための操作入力機能と、情報を提供する表示機能とを実現させる。電源ユニット１２は、電源制御線２８を介してメインシステム１０に制御され、電源供給線２７を介してメインシステム１０及びサブシステム１１に対して各々ＤＣ電力を供給する。サブシステム１１に対してはメインシステム１０及びＶＢＵＳ電源線１４を介して電力が供給される。尚、本実施の形態に係る情報処理装置では、所定の電位の電力がメインシステム１０及びサブシステム１１に供給される通常動作モードと、所定の電位より低い電位の電力がメインシステム１０及びサブシステム１１に供給される省電力モードとのいずれかの電力モードが設定可能である。ここでは、通常動作モードが設定されている場合には、電源ユニット１２は、メインシステム１０及びサブシステム１１に対して各々例えば５Ｖの電力を供給し、省電力モードが設定されている場合には、メインシステム１０に対する電力の供給を停止するものとする。
【００１１】
次に、メインシステム１０の構成について説明する。メインシステム１０は、ＣＰＵ（Central Processing Unit）２０と、ＲＯＭ（Read Only Memory）やＲＡＭ（Random Access Memory）などの主記憶部２２と、ＨＤＤ(Hard Disc Drive)２３と、ＵＳＢホスト(Host)２４と、信号切替部２５とを有する。主記憶部２２は、各種データやＣＰＵ２０が実行するための各種プログラムを記憶する。ＨＤＤ２３は、各種データや各種プログラムを記憶する。ＵＳＢホスト（ＨＯＳＴ）２４は、ＵＳＢの規格に従って、ＣＰＵ２０と、サブシステム１１のＵＳＢデバイス（ＤＥＶＩＣＥ）部５０との間のＵＳＢケーブル１３を介した通信を制御する。
【００１２】
ＣＰＵ２０は、メインシステム１０全体を制御するものであり、主記憶部２２に記憶された各種プログラムを実行することにより、割り込み検出部２１、モード移行部及び信号出力部を含む各種機能を実現させる。ここで、割り込み検出部２１、モード移行部及び信号出力部の各機能について説明する。モード移行部は、所定の条件に応じて、通常動作モードから省電力モードへ移行させたり、後述の割り込み検出部２１により復帰要因が検出された場合、省電力モードから通常動作モードへ復帰させたりする。この結果、情報処理装置において通常動作モード又は省電力モードが設定される。具体的には、モード移行部は、復帰要因が検出された場合、省電力モードから通常動作モードへ復帰することを決定し、信号切替部２５を制御して、ＶＢＵＳ電源線１４の接続先を、信号線である復帰信号検出線２６から電源供給線２７に切り替させる。また、モード移行部は、所定の条件に応じて、通常動作モードから省電力モードへ移行することを決定し、信号切替部２５を制御して、ＶＢＵＳ電源線１４の接続先を電源供給線２７から復帰信号検出線２６に切り替えさせる。尚、省電力モードへの移行要因となる所定の条件とは、例えば、サブシステム１１のキー入力部４６から操作入力が一定時間以上なかったことなどである。
【００１３】
割り込み検出部２１は、後述するサブシステム１１の復帰要因検出部５１から出力される復帰信号に応じて、復帰信号検出線２６の電圧の電位が５Ｖから０Ｖに変化したことを復帰要因として検出する。
【００１４】
信号出力部は、省電力モードから通常動作モードへ復帰する場合、サブシステム１１に対して所定の電位（例えば５Ｖ）の電力を供給させるための０Ｖの電源制御信号を電源ユニット１２に対して電源制御線２８を介して出力する。この結果、電源ユニット１２からサブシステム１１に対して５Ｖの電力が供給される。また、信号出力部は、通常動作モードから省電力モードへ移行する場合、サブシステム１１に対する電力の供給を停止させるための５Ｖの電源制御信号を電源ユニット１２電源制御線２８を介して出力する。この結果、電源ユニット１２からサブシステム１１に対する電力の供給が停止される。
【００１５】
信号切替部２５は、例えば、信号リレーにより構成され、ＣＰＵ２０の制御の下、電力モードに応じて、サブシステム１１に接続されるＶＢＵＳ電源線１４の接続先を、電源ユニット１２又は割り込み検出部２１に切り替える。具体的には、信号切替部２５は、情報処理装置において通常動作モードが設定されると、ＶＢＵＳ電源線１４を、電源ユニット１２に接続させる電源供給線２７に接続させる。この結果、サブシステム１１は、電源ユニット１２に接続されることになる。図２は、情報処理装置において通常動作モードが設定されている場合の信号のパスを太線で示した図である。同図に示されるように、情報処理装置において通常動作モードが設定されている間は、ＶＢＵＳ電源線１４は、電源供給線２７に接続されているので、電源ユニット１２から電源供給線２７及びＶＢＵＳ電源線１４を介してサブシステム１１に対して５Ｖの電力が供給される。一方、通常動作モードから省電力モードに移行する場合には、信号切替部２５は、ＶＢＵＳ電源線１４を、割り込み検出部２１に接続される復帰信号検出線２６に接続させる。図３は、情報処理装置において省電力モードに移行した場合の信号のパスを太線で示した図である。同図に示されるように、情報処理装置において省電力モードが設定されている間は、ＶＢＵＳ電源線１４は、復帰信号検出線２６に接続されているので、電源線として振舞うのではなく、サブシステム１１の復帰要因検出部５１から出力された復帰信号をメインシステム１０に伝達するための割り込み線として用いることができる。
【００１６】
次に、サブシステム１１の構成について説明する。サブシステム１１は、操作部制御部４０と、表示パネル４４と、ＬＥＤ（Light Emitting Diode）出力部４５と、キー入力部４６と、タッチパネル部４７と、復帰要因検出部５１とを有する。操作部制御部４０は、ＣＰＵ４１と、ＲＯＭやＲＡＭなどの主記憶部４２とを有する。ＣＰＵ４１は、サブシステム１１全体を制御するものであり、主記憶部４２に記憶された各種プログラムを実行することにより各種機能を実現させる。具体的には、ＣＰＵ４１は、表示制御部４８と、入出力制御部４９と、ＵＳＢデバイス(Device)部５０との各機能を実現させる。表示制御部４８は、表示パネル４４への情報の表示を制御する。入出力制御部４９は、ＬＥＤ出力部４５の発光を制御したり、キー入力部４６からの操作入力の受け付けを制御したり、タッチパネル部４７における情報の表示や操作入力の受け付けを制御したりする。主記憶部４２は、各種データやＣＰＵ４１が実行するための各種プログラムを記憶する。表示パネル４４は、例えば、液晶ディスプレイであり、操作部制御部４０の制御の下、情報を表示する。ＬＥＤ出力部４５は、ＬＥＤにより構成され、操作部制御部４０の制御の下、発光する。キー入力部４６は、操作ボタンや操作キーにより構成され、ユーザからの操作入力を受け付ける。タッチパネル部４７は、液晶ディスプレイなどの表示パネルとタッチパッドなどの位置入力装置とが組み合わされたものであり、操作部制御部４０の制御の下、表示パネルに情報を表示させたり、位置入力装置におけるユーザからの操作入力を受け付けたりする。ＵＳＢデバイス部５０は、ＵＳＢの規格に従って、メインシステム１０のＵＳＢホスト２４との間のＵＳＢケーブル１３を介した通信を制御する。
【００１７】
復帰要因検出部５１は、通常動作モードから省電力モードへの復帰の要因（復帰要因という）を検出するものであり、ここでは、例えば、ユーザによる操作入力を復帰要因とする。具体的には、復帰要因検出部５１は、ユーザにより操作入力として、例えば、ユーザによる押下を検出すべく、宅とキーやタッチパネルなどにより構成される。また、復帰要因検出部５１は、ユーザによる切替操作を検出すべく、操作スイッチにより構成されるようにしても良い。このような構成の復帰要因検出部５１は、ユーザによる操作入力により復帰要因を検出すると、０Ｖの復帰信号をＶＢＵＳ電源線１４を介して出力する。この復帰信号は、信号切替部２５によりＶＢＵＳ電源線１４に接続されている復帰信号検出線２６を介してメインシステム１０のＣＰＵ２０に入力される。
【００１８】
次に、本実施の形態に係る情報処理装置の行う処理の手順について説明する。まず、省電力移行処理の手順について図４を用いて説明する。ここでは、情報処理装置において通常動作モードが設定されているものとする。この場合、ＶＢＵＳ電源線１４は、図２に例示されるように、信号切替部２５により電源供給線２７に接続されて、電源ユニット１２から５Ｖの電力が供給されている。このような状態で、メインシステム１０のＣＰＵ２０は、省電力モードへの移行要因を検出すると、通常動作モードから省電力モードへ移行することを決定し、電源ユニット１２に対して電源制御線２８を介して電源制御信号を出力する（ステップＳ１）。このとき、電源制御線２８の電圧の電位は、０Ｖから５Ｖに変化する。電源ユニット１２は、この電源制御線２８の電圧の電位の変化を検出すると、電源供給線２７への５Ｖの電力の供給を停止する（ステップＳ２）。この結果、ＶＢＵＳ電源線１４の電圧の電位が０Ｖになり、サブシステム１１への電力の供給が停止され、サブシステム１１は省電力モードに移行する（ステップＳ３）。また、ＣＰＵ２０は、信号切替部２５を制御して、ＶＢＵＳ電源線１４の接続先を電源供給線２７から復帰信号検出線２６に切り替えさせる。信号切替部２５は、ＶＢＵＳ電源線１４を復帰信号検出線２６に接続させる（ステップＳ４）。このときの信号のパスは、図３に例示した通りである。メインシステム１０のＣＰＵ２０は、その他、省電力モードへ移行するための各種処理を適宜行うことにより、情報処理装置において省電力モードが設定される。
【００１９】
図５は、上述した省電力移行処理における電源制御線２８、電源供給線２７、ＶＢＵＳ電源線１４及び復帰信号検出線２６の各電圧の電位を例示する図である。同図に示されるように、図４のステップＳ１では、電源制御線２８の電圧が０Ｖから５Ｖに変化し、ステップＳ２では、電源供給線２７の電圧が５Ｖから０Ｖに変化し、ステップＳ３では、ＶＢＵＳ電源線１４の電圧が５Ｖから０Ｖに変化する。復帰信号検出線２６の電圧は、サブシステム１１からの復帰信号を検出するためプルアップされて５Ｖに保持されていることが示されている。
【００２０】
次に、省電力モードから通常動作モードへ復帰する通常復帰処理の手順について図６を用いて説明する。省電力モードが設定されている状態では、サブシステム１１の復帰要因検出部５１は、５Ｖの復帰信号をＶＢＵＳ電源線１４を介して出力している。このような状態で、復帰要因検出部５１は、ユーザの操作入力により復帰要因を検出すると（ステップＳ１０：ＹＥＳ）、０Ｖの復帰信号をＶＢＵＳ電源線１４を介して出力する。この復帰信号は、信号切替部２５によりＶＢＵＳ電源線１４に接続されている復帰信号検出線２６を介してメインシステム１０のＣＰＵ２０に入力される。ＣＰＵ２０は、信号切替部２５を制御して、復帰信号検出線２６から電源供給線２７に切り替えさせる。信号切替部２５は、ＶＢＵＳ電源線１４を電源供給線２７に接続させる（ステップＳ１１）。このときの信号のパスは、図２に例示した通りである。
【００２１】
またＣＰＵ２０は、電源ユニット１２に対して電源制御線２８を介して０Ｖの電源制御信号を出力する（ステップＳ１２）。このとき、電源制御線２８の電圧の電位は、５Ｖから０Ｖに変化する。電源ユニット１２は、この電源制御線２８の電圧の電位の変化を検出すると、電源供給線２７への５Ｖの電力を供給する（ステップＳ１３）。この結果、ＶＢＵＳ電源線１４の電圧の電位が５Ｖになり、サブシステム１１へ５Ｖの電力が供給され（ステップＳ１４）、サブシステム１１は通常動作モードに復帰する（ステップＳ１５）。また、メインシステム１０のＣＰＵ２０は、その他、通常動作モードへ復帰するための各種処理を適宜行うことにより、情報処理装置において通常動作モードが設定される。
【００２２】
図７は、上述した通常復帰処理における電源制御線２８、電源供給線２７、ＶＢＵＳ電源線１４及び復帰信号検出線２６の各電圧の電位を例示する図である。同図に示されるように、図６のステップＳ１０で、復帰信号検出線２６の電圧が５Ｖから０Ｖに変化すると、ステップＳ１２では、電源制御線２８の電圧が５Ｖから０Ｖに変化し、ステップＳ１３では、電源供給線２７の電圧が０Ｖから５Ｖに変化し、ステップＳ１４では、ＶＢＵＳ電源線１４の電圧が０Ｖから５Ｖに変化する。
【００２３】
以上のように、省電力モードに移行する際には、メインシステム１０が、電源ユニット１２からサブシステム１１に供給されている電力を遮断した後、信号切替部２５により、サブシステム１１に接続されるＶＢＵＳ電源線１４の接続先を電源供給線２７から復帰信号検出線２６に切り替える。そして、サブシステム１１の復帰要因検出部５１が復帰要因を検出すると、これをメインシステム１０では復帰信号検出線２６の電圧の変化により検出して、信号切替部２５により、ＶＢＵＳ電源線１４の接続先を復帰信号検出線２６から電源供給線２７へ切り替えて、省電力モードから通常動作モードに復帰する。このような構成によれば、通常動作モード又は省電力モードが設定される上処理装置において、メインシステム１０及びサブシステム１１を、ＵＳＢケーブルなどの単一のケーブルを用いて接続することが可能になる。この結果、メインシステム１０及びサブシステム１１の接続に係るコストや工数を低減可能であり、省電力を実現可能である。
【００２４】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００２５】
上述した実施の形態において、情報処理装置で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録してコンピュータプログラムプロダクトとして提供するように構成しても良い。
【００２６】
上述した実施の形態では、情報処理装置は、例えば、複写機、プリンタ、スキャナ装置、ファクシミリ装置であっても良いし、コピー機能、プリンタ機能、スキャナ機能及びファクシミリ機能のうち少なくとも２つ以上の機能を有する複合機であっても良い。
【００２７】
上述した実施の形態において、メインシステム１０及びサブシステム１１をＵＳＢケーブルを用いて接続するようにしたが、これに限らず、例えば、ＩＥＥＥ１３９４ケーブルを用いて接続するようにしても良い。図８は、本変形例に係る情報処理装置の構成を例示する図である。同図に示されるように、メインシステム１０は、上述の実施の形態において備えたＵＳＢホスト２４の代わりに、ＩＥＥＥ１３９４Ｉ／Ｆ２４Ｂを備え、サブシステム１１は、ＵＳＢデバイス部５０の代わりに、ＩＥＥＥ１３９４Ｉ／Ｆ５０Ｂを備える。ＩＥＥＥ１３９４Ｉ／Ｆ２４Ｂ及びＩＥＥＥ１３９４Ｉ／Ｆ５０Ｂは各々、ＩＥＥＥ１３９４の規格に従って、通信を制御する。このような構成によっても、メインシステム１０及びサブシステム１１の接続に係るコストや工数を低減可能であり、省電力を実現可能である。
【００２８】
また、メインシステム１０及びサブシステム１１を、ＳＤカードＩ／Ｆを用いて接続するようにしても良い。図９は、本変形例に係る情報処理装置の構成を例示する図である。同図に示されるように、メインシステム１０は、上述の実施の形態において備えたＵＳＢホスト２４の代わりに、ＳＤカードＩ／Ｆユニット２４Ａを備え、サブシステム１１は、ＵＳＢデバイス部５０の代わりに、Ｉ／Ｆユニット５０Ａを備える。ＳＤカードＩ／Ｆユニット２４Ａ及びＩ／Ｆユニット５０Ａは各々、ＳＤカードＩ／Ｆの規格に従って、通信を制御する。このような構成によっても、メインシステム１０及びサブシステム１１の接続に係るコストや工数を低減可能であり、省電力を実現可能である。
【００２９】
上述の実施の形態においては、各信号の電圧の電位は、上述の例に限らない。また、通常動作モードにおいて、メインシステム１０及びサブシステム１１に供給される電力の電位も上述の例に限らない。
【符号の説明】
【００３０】
１０  メインシステム
１１  サブシステム
１２  電源ユニット
１３  ＵＳＢケーブル
１４  ＶＢＵＳ電源線
１５  信号線
２１  割り込み検出部
２２  主記憶部
２４  ＵＳＢホスト
２４Ａ  ＳＤカードＩ／Ｆユニット
２４Ｂ  ＩＥＥＥ１３９４Ｉ／Ｆ
２５  信号切替部
２６  復帰信号検出線
２７  電源供給線
２８  電源制御線
４０  操作部制御部
４１  ＣＰＵ
４２  主記憶部
４４  表示パネル
４５  出力部
４６  キー入力部
４７  タッチパネル部
４８  表示制御部
４９  入出力制御部
５０  デバイス部
５０Ａ  Ｉ／Ｆユニット
５０Ｂ  ＩＥＥＥ１３９４Ｉ／Ｆ
【先行技術文献】
【特許文献】
【００３１】
【特許文献１】特開２００２−１６３０４４号公報
【図１】
2011129061.tif 000003
【図２】
2011129061.tif 000004
【図３】
2011129061.tif 000005
【図４】
2011129061.tif 000006
【図５】
2011129061.tif 000007
【図６】
2011129061.tif 000008
【図７】
2011129061.tif 000009
【図８】
2011129061.tif 000010
【図９】
2011129061.tif 000011